(57)【要約】      （修正有）【課題】農作業機の作業部のみを停止させて、作業部の点検を安全に行う構成を提供する。【解決手段】駆動部Ｂ１の駆動力が動力として伝達されて動作する作業部Ａ１、Ａ２を備えた農作業機であって、農作業機Ａに配置されていると共に、駆動部Ｂ１と作業部Ａ１、Ａ２とにわたるように接続され、駆動部Ｂ１の動力を作業部Ａ１、Ａ２に対して動力伝達状態と動力切断状態とに切り換えるように動作する切換部Ｃ１０、Ｃ２０と、切換部Ｃ１０、Ｃ２０に備えられ、制御信号を送受信する農作業機側通信部Ｃ３０とを備え、切換部Ｃ１０、Ｃ２０は、制御信号に基づいて切り換え動作するように制御されている。【選択図】図１
2019187272.tif 000002
【特許請求の範囲】
【請求項１】
駆動部の駆動力が動力として伝達されて動作する作業部を備えた農作業機であって、
前記農作業機に配置されていると共に、前記駆動部と前記作業部とにわたるように接続され、前記駆動部の動力を前記作業部に対して動力伝達状態と動力切断状態とに切り換えるように動作する切換部と、
前記切換部に備えられ、制御信号を送受信する農作業機側通信部と、
を備え、
前記切換部は、前記制御信号に基づいて切り換え動作するように制御されていることを特徴とする農作業機。
【請求項２】
請求項１に記載の農作業機を制御する制御装置であって、
走行車の運転席に設けられて前記運転席の作業者の存在を検出する検出部と、
前記農作業機側通信部に対して接続された走行車側通信部と、
前記検出部に検出動作させると共に、前記検出部が前記運転席での前記作業者の存在を検出できない場合に、前記切換部を切断状態に動作させる制御信号を前記走行車側通信部から送信させるように制御する制御部と、
を備えていることを特徴とする制御装置。
【請求項３】
請求項１に記載の農作業機を制御する制御方法であって、
運転席での作業者の存在を検出すると共に、検出結果に基づく制御信号を前記農作業機側通信部に送信し、前記農作業機側通信部が受信する前記制御信号が、前記運転席での前記作業者の存在を検出できないという信号である場合に、前記切換部を動力切断状態に切り替えることを特徴とする制御方法。
【発明の詳細な説明】
【技術分野】
【０００１】
本発明は、駆動部の駆動力が伝達されて作動する農作業機及び農作業機を制御する制御装置並びに農作業機を制御する制御方法に関する。
【背景技術】
【０００２】
農作業機の動力伝達手段として、例えば、走行車に駆動力を付与する駆動部の駆動力の一部を利用して回転するＰＴＯ（Ｐｏｗｅｒ  Ｔａｋｅ  Ｏｆｆ）軸を介して伝達するようにしたもの（特許文献１、２参照）が知られている。
【０００３】
特許文献１に記載された農作業機は、ピックアップされて搬送される収穫物が搬送通路で詰まった場合に、ＰＴＯ軸に設けられたトルクリミッタが作動して一時的に搬送ロータ（作業部）の回転を停止させると共に、各種報知手段により収穫物が詰まったことを作業者に対して知らせるようになっている。
【０００４】
そして、収穫物が詰まったことを知らされた作業者が、走行車側に設けられたコントロールボックスの操作により、アクチュエータを作動させて搬送通路底板の後端側を下降させることで搬送通路が拡開し、この搬送通路の拡開によって、搬送ロータに対する詰まった収穫物による抵抗が軽減されるため、トルクリミッタが解除され、この解除に伴って搬送ロータの回転が復活して、詰まっていた収穫物を搬送することで、収穫物の詰まりを安全に解消することができるようにされている。
【先行技術文献】
【特許文献】
【０００５】
【特許文献１】特許第３９３９１２５号公報
【特許文献２】２０１７−２２６３２５号公報
【発明の概要】
【発明が解決しようとする課題】
【０００６】
特許文献１の従来技術では、搬送通路が拡開されてもトルクリミッタが解除されない程度に詰まりが生じた場合には、作業者が手作業によって詰まりを取り除く作業を行うが、詰まりが取り除かれたときに搬送ロータが回転してしまうため、走行車の駆動部を停止させる必要がある。
【０００７】
しかしながら、走行車の駆動部の停止を忘れたり、慣れによって走行車の駆動部を停止させたりしないで、詰まりを取り除く作業を行うこともあった。
【０００８】
一方、特許文献２の従来技術では、農作業中において走行車に設けられた運転席の作業者の存在を検出しており、農作業中に走行車の走行を停止して農作業機の作業部の点検を行う場合、運転席から作業者が離れたことを検出したときに、この検出結果に基づいて、駆動部を自動的に停止させるように制御する、或いは，ＰＴＯ軸に対する駆動部の駆動力の伝達を自動的に切断させるように制御することで、農作業機の作業部のみを停止させて、作業部の点検を安全に行えるようにされている。
【０００９】
しかしながら、農作業機の作業部のみを停止させて、作業部の点検を安全に行えるようにするには、走行車の駆動部を前述の制御によって停止させるための構造、或いはＰＴＯ軸に対する駆動部の駆動力の伝達を前述の制御によって切断するための構造、制御装置等が全て備えられた仕様の走行車が必要であり、各種構造を通常の走行車に対して取り付ける改造作業も困難であった。
【００１０】
現在、前述の仕様の走行車以外でも、必要最低限の改造で、農作業機の作業部のみを停止させることができ、これにより、作業部の点検を安全に行えるようにすることが望まれている。
【課題を解決するための手段】
【００１１】
前述の課題を解決するため、本発明は下記の手段を採用した。
【００１２】
駆動部の駆動力が動力として伝達されて動作する作業部を備えた農作業機であって、
前記農作業機に配置されていると共に、前記駆動部と前記作業部とにわたるように接続され、前記駆動部の動力を前記作業部に対して動力伝達状態と動力切断状態とに切り換えるように動作する切換部と、前記切換部に備えられ、制御信号を送受信する農作業機側通信部とを備え、前記切換部は、前記制御信号に基づいて切り換え動作するように制御されていることを特徴とする農作業機にしたことである。
【００１３】
前述の農作業機を制御する制御装置であって、走行車の運転席に設けられて前記運転席の作業者の存在を検出する検出部と、前記農作業機側通信部に対して接続された走行車側通信部と、前記検出部に検出動作させると共に、前記検出部が前記運転席での前記作業者の存在を検出できない場合に、前記切換部を切断状態に動作させる制御信号を前記走行車側通信部から送信させるように制御する制御部とを備えていることを特徴とする制御装置にしたことである。
【００１４】
前述の農作業機を制御する制御方法であって、運転席での作業者の存在を検出すると共に、検出結果に基づく制御信号を前記農作業機側通信部に送信し、前記農作業機側通信部が受信する前記制御信号が、前記運転席での前記作業者の存在を検出できないという信号である場合に、前記切換部を動力切断状態に切り替えることを特徴とする制御方法にしたことである。
【図面の簡単な説明】
【００１５】
【図１】本発明に係る第１実施形態の農作業機の概略図である。
【図２】本発明に係る第２実施形態の農作業機の概略図である。
【図３】本発明に係る実施形態の制御装置の構成図であり、図１の農作業機を制御する制御装置の構成図である。
【図４】本発明に係る実施形態の一例を示す制御方法のフローチャートであり、図２に示す制御装置の制御方法のフローチャートである。
【発明を実施するための形態】
【００１６】
以下、本発明に係る第１実施形態の一例を示す農作業機Ａを図１にも基づいて説明する。
【００１７】
本明細書でいう農作業機Ａは、ロールベーラ、各種収穫機、施肥装置、田植機等、農作業に用いられるものであって、特に限定するものではない。
【００１８】
第１実施形態の農作業機Ａは、トラクタ等の走行車Ｂにけん引されて農作業を行うと共に、走行車Ｂの駆動部Ｂ１の駆動力がＰＴＯ軸Ｃ１及び油圧部Ｃ２並びに電磁クラッチ（切換部）Ｃ１０、電磁バルブ（切換部）Ｃ２０を介して農作業機Ａの作業部Ａ１、Ａ２の動力として伝達されるものである。
【００１９】
ここで、作業部Ａ１、Ａ２は、農作業機Ａにおける各種農作業を行うものであり、ＰＴＯ軸Ｃ１の回転が動力として伝達されて動作する各部位、油圧部Ｃ２の作動油による油圧が動力として伝達されて動作する各部位であって、農作業機Ａの種類によって異なる作業を行うものである。
【００２０】
ＰＴＯ軸Ｃ１は、駆動部Ｂ１から分岐する駆動力の一部を利用して回転するものであり、このＰＴＯ軸Ｃ１と、農作業機Ａ側に配置された電磁クラッチ（切換部）Ｃ１０の一方側とにわたり、ＰＴＯシャフトＣ１１が接続されている。
【００２１】
ＰＴＯ軸Ｃ１は、状況に応じた走行車Ｂ側での操作によって動作する電磁クラッチ（図示せず）の変速機（図示せず）を備えた動力取出し部Ｃ１２に接続されており、この動力取出し部Ｃ１２を介して回転、回転停止、変速等ができるようにされている。
【００２２】
ＰＴＯ軸Ｃ１の回転は、ＰＴＯシャフトＣ１１及び電磁クラッチＣ１０を経て、電磁クラッチＣ１０の他方側に接続された作業部Ａ１に動力として伝達されると共に、電磁クラッチＣ１０が切断されることによって、作業部Ａ１への動力伝達が切断される。
【００２３】
油圧部Ｃ２は、駆動部Ｂ１から分岐する駆動力の一部を利用して作動油を作業部Ａ２に送るものであり、油圧部Ｃ２と農作業機Ａ側に配置された電磁バルブ（切換部）Ｃ２０の一方側にわたり、油圧ホースＣ２１が接続されている。
【００２４】
油圧部Ｃ２は、状況に応じた走行車Ｂ側での操作によって作動するポンプ（図示せず）や電磁バルブ（図示せず）を備えており、これらのポンプ及びバルブを介して作動油による圧力伝達及び圧力伝達停止ができるようにされている。
【００２５】
油圧部Ｃ２からの作動油は、油圧ホースＣ２１及び電磁バルブＣ２０を経て、電磁バルブＣ２０の他方側に接続された作業部Ａ２に動力として送られると共に、電磁バルブＣ２０を閉じることによって、作業部Ａ２への動力伝達が切断される。
【００２６】
電磁クラッチＣ１０及び電磁バルブＣ２０には、走行車Ｂの運転席Ｂ２に配置されたコントロールボックスＢ３に設けられた制御装置Ｄからの制御信号を送受信する作業機側通信部Ｃ３０が接続されている。
【００２７】
電磁クラッチＣ１０の入切動作及び電磁バルブＣ２０の開閉動作は、作業機側通信部Ｃ３０が受信する制御装置Ｄからの制御信号に基づいて行われる。
【００２８】
また、電磁クラッチＣ１０の入切動作及び電磁バルブＣ２０の開閉動作は、農作業機Ａに配置された操作部Ｃ４の操作によっても行うことができるようにされている。
【００２９】
電磁クラッチＣ１０の入切動作及び電磁バルブＣ２０の開閉動作は、制御装置Ｄの制御信号によるものが優先され、制御装置Ｄの動作中においては、操作部Ｃ４の操作は無効にされる。
【００３０】
このような農作業機Ａは、電磁クラッチＣ１０及び電磁バルブＣ２０を農作業機Ａ側に配置しているので、走行車Ｂ側に制御装置Ｄを設け、この制御装置Ｄと電磁クラッチＣ１０及び電磁バルブＣ２０の作業機側通信部Ｃ３０とを、無線又は有線で電気的に接続するという簡単な作業で、走行車Ｂの仕様に係わらず、制御装置Ｄの制御信号に基づいて作業部Ａ１、Ａ２を停止させることができる。
【００３１】
図２は、本発明に係る第２実施形態の農作業機Ｅである。尚、第２実施形態の農作業機Ａと重複する部位についての説明は、同符号を付すことにより省略する。
【００３２】
農作業機Ｅは、走行車Ｆにけん引されるものであるが、作業部Ａ１、Ａ２の動力となる駆動力を発生させるための駆動部Ｅ１を備えている。
【００３３】
また、農作業機Ｅには、駆動部Ｅ１の他、駆動部Ｅ１に接続され、この駆動部Ｅ１の駆動力の一部を利用して回転する回転軸Ｃ５、駆動部Ｅ１に接続され、この駆動部Ｅ１の駆動力の一部を利用して作動油を作業部Ａ２の動力として送る油圧部Ｃ６、回転軸Ｃ５に接続された電磁クラッチＣ１０、油圧部Ｃ６に接続された電磁バルブＣ２０、作業機側通信部Ｃ３０を備えており、走行車Ｆ側の制御装置Ｄからの制御信号に基づいて、電磁クラッチＣ１０の入切動作、電磁バルブＣ２０の開閉動作が行われるようにされている。
【００３４】
すなわち、農作業機Ｅは、農作業機Ａと同じ効果を奏すると共に、走行車Ｆ側の駆動部Ｂ１の駆動力に依存することなく、作業部Ａ１、Ａ２を動作させることができ、ＰＴＯ軸Ｃ１を備えない走行車Ｆによってけん引されて農作業を行うことができる。
【００３５】
農作業機Ａ、Ｅにおける電磁クラッチＣ１０の入切動作、電磁バルブＣ２０の開閉動作の制御は、走行車Ｂの運転席Ｂ２での作業者の存在を検出し、この検出結果に基づいて行うようにすることが好ましい。
【００３６】
具体的には、農作業中において、運転席Ｂ２での作業者の存在が検出されている状態においては、電磁クラッチＣ１０の入状態を保持すると共に、電磁バルブＣ２０の開状態を保持する制御である。
【００３７】
一方、走行車Ｂが駆動部Ｂ１の駆動中において停車した状態において、運転席Ｂ２での作業者の存在が検出されない場合に、電磁クラッチＣ１０を切断状態とすると共に、電磁バルブＣ２０を閉状態とする制御である。
【００３８】
また、コントロールボックスＢ３での手動操作によって制御信号を送信して、電磁クラッチＣ１０の入切動作をさせる制御、電磁バルブＣ２０の開閉動作をさせる制御である。
【００３９】
以下、農作業機Ａにおける電磁クラッチＣ１０の入切動作及び電磁バルブＣ２０の開閉動作を制御する制御装置Ｄの構成を図１及び図３に基づいて説明する。
【００４０】
制御装置Ｄは、検出部Ｄ１、制御部Ｄ２、走行車側通信部Ｄ３を備えており、コントロールボックスＢ３内に内蔵されている。
【００４１】
検出部Ｄ１は、運転席Ｂ２の作業者の存在を制御部Ｄ２の制御によって検出動作するものであり、走行車Ｂの駆動部Ｂ１が駆動状態であるときに、検出動作が行われるように制御されている。
【００４２】
検出部Ｄ１は、赤外線、可視光、超音波、等を用いた人感センサが例示でき、コントロールボックスＢ３の表面の、運転席Ｂ２において着座、或いは立っている状態の作業者を検出できる位置に配置されている。
【００４３】
検出部Ｄ１の他の例として、運転席Ｂ２において作業者が着座する椅子Ｂ２０、或いは作業者が立つ床に配置する接触センサや重量センサとしてもよい。
【００４４】
このような検出部Ｄ１により、作業者が椅子Ｂ２０に着座しているとき、或いは作業者が床に立っているときに作業者の存在を検出できる。
【００４５】
制御部Ｄ２は、ＣＰＵ、ＣＰＵが実行する各種プログラムや各種アプリケーションプログラム及び各種データ等を記憶したＲＯＭ、入力される各種データ及び演算結果等を一時的に記憶するＲＡＭ等を備えている。
【００４６】
制御部Ｄ２は、前述の各種プログラムや各種アプリケーションプログラムに基づいて、各種データ入出力操作、検出部Ｄ１の検出動作、走行車側通信部Ｄ３と作業機側通信部Ｃ３０との制御信号送受信、走行車Ｂの駆動部Ｂ１をコントロールするＥＣＵ（ｅｎｇｉｎｅ  ｃｏｎｔｒｏｌ  ｕｎｉｔ）Ｂ４の動作、ＰＴＯ軸Ｃ１の回転数の切替え、電磁クラッチＣ１０の入切及び電磁バルブＣ２０の開閉、作業部Ａ１、Ａ２が行う各種作業、等の走行車Ｂ及び作業部Ａ１、Ａ２に必要な動作を制御するようにされている。
【００４７】
走行車側通信部Ｄ３と作業機側通信部Ｃ３０とは、検出部Ｄ１の検出に基づく制御信号及び電磁クラッチＣ１０の入切及び電磁バルブＣ２０の現在状況信号を、走行車側通信部Ｄ３と作業機側通信部Ｃ３０との間で送受信できるように、無線又は有線によって電気的に接続されている。
【００４８】
制御部Ｄ２の制御による、検出部Ｄ１による検出制御、電磁クラッチＣ１０の入切動作制御、電磁バルブＣ２０の開閉動作制御は、農作業実施中に行われる制御である。
【００４９】
農作業実施中は、あらかじめ、コントロールボックスＢ３からの入力操作で農作業実施中であることを設定し、これから行う作業は、「農作業実施」であると規定することで、農作業以外での、走行車Ｂの駆動部Ｂ１の駆動、農作業機Ａ、Ｅの移動、停止等での誤操作を防止できる。
【００５０】
「農作業実施」であるとの規定は、走行車Ｂの駆動部Ｂ１の駆動停止、或いは、コントロールボックスＢ３からの入力操作で「農作業実施終了」を設定することで、「農作業実施」をキャンセルする。
【００５１】
すなわち、走行車Ｂの駆動部Ｂ１を始動させたときに、検出部Ｄ１が検出を開始するが、このとき、作業者が「農作業実施」であることを手動操作によって設定したときに、農作業実施中において、検出部Ｄ１による運転席Ｂ２での作業者の存在の検出による電磁クラッチＣ１０の入切制御及び電磁バルブＣ２０の開閉制御が行われる。
【００５２】
送受信される制御信号が、「農作業実施」状態であると共に、動力伝達状態であり、作業者が運転席Ｂ２に存在しているとの信号であるとき、農作業が継続しているものとして判断し、電磁クラッチＣ１０の入状態及び電磁バルブＣ２０の開状態を保持して、作業部Ａ１、Ａ２に対する動力伝達状態を保持する。
【００５３】
一方、送受信される制御信号が、「農作業実施」状態であると共に、動力伝達状態であり、作業者の存在が検出できないとの信号であるとき、農作業が停止しているものとして判断し、電磁クラッチＣ１０を切断状態及び電磁バルブＣ２０を閉状態に切り替えて、作業部Ａ１、Ａ２に対する動力伝達状態を切断する（動力切断状態）。
【００５４】
動力切断状態では、駆動部Ｂ１の駆動力が作業部Ａ１、Ａ２に伝達されてないため、駆動部Ｂ１が駆動状態であっても作業部Ａ１、Ａ２は停止しており、作業者による農作業機Ａの点検を安全に行うことができる。
【００５５】
また、検出部Ｄ１の検出は、駆動部Ｂ１の駆動中に継続しているため、農作業機Ａの点検終了後、作業者が運転席Ｂ２に戻った際に作業者の存在を検出すると、この検出結果を制御信号として走行車側通信部Ｄ３と作業機側通信部Ｃ３０との間で送受信する。
【００５６】
送受信される制御信号が、「農作業実施」状態であると共に、作業者が運転席Ｂ２に存在しているとの信号であるとき、電磁クラッチＣ１０を入状態及び電磁バルブＣ２０を開状態に自動的に切り替えて動力伝達状態にする。
【００５７】
手動操作による動力伝達状態及び動力切断状態にする制御は、「農作業実施」をキャンセルしたときに可能となり、例えば、農作業が行われない状況での農作業機Ａ、Ｅの移動時において作業機Ａ１、Ａ２を動作させないようにする場合に行われる。
【００５８】
動力切断状態から動力伝達状態に切り替える制御については、前述のように自動的に行うものに限らず、検出部Ｄ１が作業者の存在を検出したときに、動力伝達状態に切替え可能状態として判定すると共に、この判定結果を作業者に対して視覚的及び／又は聴覚的に報知する制御とし、この報知に基づいて作業者がコントールパネルに設けられたスイッチ等を操作することで動力切断状態から動力伝達状態に切り替えるようにしてもよい。
【００５９】
尚、農作業機Ｅの制御に関しては、農作業機Ａの制御と同じであるため、図３において作業機（Ｅ）として示し、農作業機Ｅ内に配置された駆動部Ｅ１の駆動力を利用して、電磁クラッチＣ１０及び電磁バルブＣ２０に伝達される動力を二点鎖線の矢印として示した。
【００６０】
以下、制御装置Ｄによる検出部Ｄ１の検出制御方法、検出結果に基づく電磁クラッチＣ１０の入切制御方法及び電磁バルブＣ２０の開閉制御方法を、図４に基づいて説明する。
【００６１】
図４は、制御装置Ｄによる電磁クラッチＣ１０の入切制御方法及び電磁バルブＣ２０の開閉制御方法を示すフローチャートであり、走行車Ｂの駆動部Ｂ１を始動させたときに起動するプログラムである。
【００６２】
駆動部Ｂ１を始動後、検出部Ｄ１による運転席Ｂ２での作業者の検出動作が開始（ステップＳ１）され、検出部Ｄ１の検出動作は駆動部Ｂ１が停止されるまで継続される。
【００６３】
駆動部Ｂ１の始動後において「農作業実施」を設定（ステップＳ２）し、この設定によって、今後行われる農作業機Ａの動作は、検出部Ｄ１の検出による電磁クラッチＣ１０の入切制御及び電磁バルブＣ２０の開閉制御（「農作業実施」制御）であることが設定（ステップＳ３）され、「農作業実施」制御が開始（ステップＳ４）される。
【００６４】
ステップＳ２において「農作業実施」が設定されなかった場合、電磁クラッチＣ１０の入切制御及び電磁バルブＣ２０の開閉制御は、作業者の手動操作による制御で行われ（ステップＳ５）、ステップＳ２において「農作業実施」が設定されるまで継続する。
【００６５】
ステップＳ４において「農作業実施」制御が開始されたとき、検出部Ｄ１によって走行車Ｂの運転席Ｂ２に作業者が存在していることが検出される（ステップＳ６）と、電磁クラッチＣ１０が入状態になって作業部Ａ１が作動（ステップＳ７）すると共に、電磁バルブＣ２０が開状態となって作業部Ａ２が作動（ステップＳ７）して、農作業機Ａが農作業可能状態（ステップＳ８）となる。
【００６６】
ステップＳ８において、農作業機Ａの農作業可能状態で走行車Ｂが停止（ステップＳ９）し、降車によって作業者が走行車Ｂの運転席Ｂ２から離れて、検出部Ｄ１が運転席Ｂ２の作業者の存在を検出できない（ステップＳ１０）場合、電磁クラッチＣ１０が切断状態になって作業部Ａ１が停止（ステップＳ１１）すると共に、電磁バルブＣ２０が閉状態となって作業部Ａ２が停止（ステップＳ１１）して、農作業機Ａが農作業不可能状態（ステップＳ１２）となる。
【００６７】
ステップＳ１１は、作業者が走行車Ｂの運転席Ｂ２に戻って、検出部Ｄ１が運転席Ｂ２での作業者の存在を検出（ステップＳ１３）するまで継続される。
【００６８】
ステップＳ１３において、検出部Ｄ１が運転席Ｂ２での存在を検出した場合、電磁クラッチＣ１０が入状態になって作業部Ａ１が作動（ステップＳ１４）すると共に、電磁バルブＣ２０が開状態となって作業部Ａ２が作動（ステップＳ１４）して、農作業機Ａが再び農作業可能状態（ステップＳ１５）となる。
【００６９】
「農作業実施」制御を終了するには、「農作業実施終了」を設定（ステップＳ１６）することで行われ、このステップ１６において「農作業実施終了」が設定されると、今後行われる農作業機Ａの動作は、全て作業者による手動操作で制御される手動操作制御（ステップＳ５）となり、ステップＳ１６の「農作業実施終了」設定後に駆動部Ｂ１を停止（ステップＳ１７）させることで、全てのプログラムが終了する。
【００７０】
「農作業実施」制御を終了するには、走行車Ｂの駆動部Ｂ１を停止させると「農作業実施」制御が終了するようにしてもよく、この場合、走行車Ｂの駆動部Ｂ１を停止させたとき、電磁クラッチＣ１０が切断されると共に、電磁バルブＣ２０が閉じるように制御するとよい。
【００７１】
したがって、電磁クラッチＣ１０の入切制御方法及び電磁バルブＣ２０の開閉制御方法は、走行車Ｂの運転席Ｂ２において作業者の存在を検出することで、電磁クラッチＣ１０を入状態にすることができると共に、電磁バルブＣ２０を開状態にすることができる。
【００７２】
また、走行車Ｂの運転席Ｂ２において作業者の存在を検出できなかったときに、電磁クラッチＣ１０を切断状態にすることができると共に、電磁バルブＣ２０を閉状態にすることができる。
【００７３】
以上、本発明の実施形態について図面を参照して詳述してきたが、本発明の具体的な構成は、これらの実施の形態に限られるものではなく、本発明の要旨を逸脱しない範囲の設計の変更等があっても本発明に含まれる。
【００７４】
また、前述の各実施形態は、その目的及び構成等に特に矛盾や問題がない限り、互いの技術を流用して組み合わせることが可能である。
【符号の説明】
【００７５】
Ａ：農作業機
Ｅ：農作業機
Ａ１：作業部
Ａ２：作業部
Ｂ：走行車
Ｂ１：駆動部
Ｂ２：運転席
Ｃ１０：電磁クラッチ
Ｃ２０：電磁バルブ
Ｃ３０：作業機側通信部
Ｄ：制御装置
Ｄ１：検出部
Ｄ２：制御部
Ｄ３：走行車側通信部
【図１】
2019187272.tif 000003
【図２】
2019187272.tif 000004
【図３】
2019187272.tif 000005
【図４】
2019187272.tif 000006